(57)【要約】【課題】  複数の電池のそれぞれを適切な方向又は配置で収納する。【解決手段】  複数の筒形の電池５を収納するケースであって、複数の筒形の電池５がその短軸方向に整列して収納され、整列して収納された前記電池５を複数の区画１６０に分割する仕切部１２２が設けられた箱状の収納室１００が複数連結されてなり、前記区画１６０の、前記電池５が整列される方向の長さが、前記電池５の長軸方向の長さより短いことを特徴とする。【選択図】図３
2019153417.tif 000002
【特許請求の範囲】
【請求項１】
複数の筒形の電池を収納するケースであって、
複数の筒形の電池がその短軸方向に整列して収納され、整列して収納された前記電池を複数の区画に分割する仕切部が設けられた箱状の収納室が複数連結されてなり、
前記区画の、前記電池が整列される方向の長さが、前記電池の長軸方向の長さより短いことを特徴とする電池ケース。
【請求項２】
前記収納室の内面のうち前記収納された電池の端面と対向する面が、前記電池の端面における端子部と接触しないように当該収納室の外部の方向に設けられていることを特徴とする、請求項１に記載の電池ケース。
【請求項３】
前記第１の収納室及び前記第２の収納室を連結すると共に両者を折り畳み可能に回動させる回動部を備えることを特徴とする、請求項１に記載の電池ケース。
【請求項４】
前記回動部により折り畳まれた前記第１の収納室及び前記第２の収納室を互いに脱着可能に固定させる脱着部を備えることを特徴とする、請求項３に記載の電池ケース。
【請求項５】
１枚の紙製のシートにより一体的に形成され、前記回動部は前記紙製のシートに設けられたミシン線であることを特徴とする、請求項４に記載の電池ケース。
【発明の詳細な説明】
【技術分野】
【０００１】
この発明は、電池ケースに関する。
【背景技術】
【０００２】
複数本の筒形の電池を収納するケースとして、例えば、特許文献１には、複数の筒形の乾電池を並列に収納する紙製の電池ケースにおいて、該乾電池の電極が対向する該電池ケースの部分を該電極と非接触となる形状に折曲或いは湾曲形成してなることが記載されている。
【先行技術文献】
【特許文献】
【０００３】
【特許文献１】特開２００３−８６１６１号公報
【発明の概要】
【発明が解決しようとする課題】
【０００４】
特許文献１のような収納ケースにおいては、その使用時に様々な不便をきたすことがある。例えば、ケースに収納された電池の一部を取り出すと、残りの電池がケース内で転倒してその取り出しが困難となる場合がある。また、電池を取り出した後の空間は使用されないため、ケースは不要な空間に占有されることとなり、結果としてかさばってしまう。このように、複数の筒形の電池を収納するケースでは、その形状や収納空間の設計が難しく、ユーザにとってより使いやすい製品の開発が望まれている。
【０００５】
本発明はこのような問題に鑑みてなされたものであり、複数の電池のそれぞれを適切な方向又は配置で収納することが可能な電池ケースを提供することを目的としている。
【課題を解決するための手段】
【０００６】
上記目的を達成するための本発明の一態様は、複数の筒形の電池を収納するケースであって、複数の筒形の電池がその短軸方向に整列して収納され、整列して収納された前記電池を複数の区画に分割する仕切部が設けられた箱状の収納室が複数連結されてなり、前記区画の、前記電池が整列される方向の長さが、前記電池の長軸方向の長さより短いことを特徴とする。
【０００７】
このように、箱状の収納室が複数連結されており、その収納室においては複数の筒形の電池を短軸方向に整列しつつこれらを各区画に分割する仕切部が設けられ、その区画の電池の整列方向の長さが電池の長軸方向の長さより短くなっていることで、仕切部により各収納室に多数の電池を収納することができると共に、ある区画内の電池を取り出しても当該区画内の残りの電池は振動や回転等によっても転倒等せず、後の当該残りの電池の取り出しに支障をきたさないようにすることができる。このように、本発明の電池ケースによれば、収納室内の複数の電池のそれぞれを適切な方向又は配置で収納することができる。
【０００８】
また、本発明の他の一態様においては、前記収納室の内面のうち前記収納された電池の端面と対向する面が、前記電池の端面における端子部と接触しないように当該収納室の外部の方向に設けられていることを特徴とする。このように、収納室の内面が電池の端子部と接触しないようになっていることで、電池の端子部の損傷、劣化等を防ぐことができる。例えば、電池ケースに水分が付着又は浸透した場合でも、その水分が電池の端子部と接触する等して生じるおそれがある、錆の発生、漏電、損傷等を防ぐことができる。
【０００９】
また、本発明の他の一態様においては、前記第１の収納室及び前記第２の収納室を連結すると共に両者を折り畳み可能に回動させる回動部を備えることを特徴とする。このように、電池ケースは、２つの収納室を折り畳み自在に回動する回動部を備えることで、電池ケースの保管や持ち運びをしやすくすることができる。
【００１０】
また、本発明の他の一態様においては、前記回動部により折り畳まれた前記第１の収納室及び前記第２の収納室を互いに脱着可能に固定させる脱着部を備えることを特徴とする。このように、２つの収納室を脱着可能に固定させる脱着部を備えることにより、２つの収納室を折り畳んだ状態又は広げた状態とし、電池ケースを管理しやすくすることができる。
【００１１】
また、本発明の他の一態様においては、１枚の紙製のシートにより一体的に形成され、前記回動部は前記紙製のシートに設けられたミシン線であることを特徴とする。このように、電池ケースが１枚の紙製のシートで構成されていることで、その製造が容易となる。また、回動部がミシン線になっているので、収納室を互いに切り離すことで２つの小型の電池ケースとしたり、一方の収納室が不要になった時（電池を全て取り出した場合等）に他方の収納室を切り離すことで、電池ケースをかさばらないようにすることができる。
【発明の効果】
【００１２】
本発明によれば、複数の電池のそれぞれを適切な方向又は配置で収納することができる。なお、その他の効果については以下の記載で明らかにする。
【図面の簡単な説明】
【００１３】
【図１】図１は、本実施形態に係る電池ケース１の外観を示した上方斜視図である。
【図２】図２は、本実施形態に係る電池ケース１の外観を示した下方斜視図である。
【図３】図３は、筒形の電池５が収納された状態の電池ケース１の上方斜視図である。
【図４】図４は、本実施形態に係る電池ケース１の外観を示した下方斜視図である。
【図５】図５は、係止片１３０がスリット１３６に差し込まれることにより電池ケース１が折り畳まれる状態を示す斜視図である。
【図６】図６は、電池ケース１が折り畳まれた状態を示す斜視図である。
【図７】図７は、化粧ケース２をその上面２０２の方向から見た斜視図である。
【図８】図８は、化粧ケース２をその下面２０４の方向から見た斜視図である。
【図９】図９は、ミシン線２０８を破断させ破断部２１４を持ち上げた状態の化粧ケース２の上方斜視図である。
【図１０】図１０は、化粧ケース２を折り曲げ線２１０で折り曲げて電池ケース１を露出させた化粧ケース２の上方斜視図である。
【図１１】図１１は、電池ケース１の展開シート３００の一例である。
【発明を実施するための形態】
【００１４】
以下、本発明の実施の形態について、図面を参照しつつ説明する。
【００１５】
＜電池ケース＞
（基本構成）
まず、本実施形態に係る電池ケースの基本的な構成について説明する。
【００１６】
図１、２は、本実施形態に係る電池ケース１の外観を示した図である。電池ケース１は、全体として扁平な四角錐台の形状を有し、互いに隣接する２つの収納室１００（収納室１００ａ及び収納室１００ｂ）からなる。なお、電池ケース１は後述するように、一枚の紙製のシートを各所で折り畳み、また、その一部を貼着することにより形成されている。
【００１７】
収納室１００はそれぞれ、断面台形状の四角錐台の形状を備える、より小型の箱状のケースとして構成されている。収納室１００は、錐体面（側面）として、相対する２つの傾斜面１０２（傾斜面１０２ａ、１０２ｂ）と、他の相対する２つの垂直面１０４（垂直面１０４ａ、１０４ｂ）とを有する。傾斜面１０２は、収納室１００において面積が大きい方の底面である下底面１０６（下底面１０６ａ、１０６ｂ）から、面積が小さい方の底面である上底面１０８（上底面１０８ａ、１０８ｂ）に内側に向かって所定の角度で傾斜している、長方形の側面である。また、垂直面１０４は、下底面１０６から上底面１０８へと垂直に起立する台形の側面である。なお、以下では、傾斜面１０２の下底辺１０３（下底面１０６及び傾斜面１０２の共通辺。下底辺１０３ａ、下底辺１０３ｂ。）の方向をｘ方向、垂直面１０４の上底辺１０５（上底面１０８及び垂直面１０４の共通辺。上底辺１０５ａ、１０５ｂ。）の方向をｙ方向、下底面１０６及び上底面１０８と垂直な方向をｚ方向という。
【００１８】
収納室１００ａ及び収納室１００ｂは、それぞれの一方の垂直面１０４を相対させた状態で連結されている。具体的には、収納室１００ａ及び収納室１００ｂは、図２に示すように、下底面１０６ａ及び下底面１０６ｂの間にｙ方向に設けられたミシン線１１０により分離可能に連結されている。このミシン線１１０を破断することにより、２つの収納室１００を分離して小型の電池ケースとして使用することができる。なお、このミシン線１１０は後述するように回動可能であるので、電池ケース１を折り畳めるようにしている。
【００１９】
また、図２に示すように、各収納室１００の下底面１０６には、山状の蓋体１１２（１１２ａ、１１２ｂ）が重ねられている。蓋体１１２は、収納室１００の一方の傾斜面１０２（以下、蓋体側傾斜面という）と一体となっており、蓋体側傾斜面の下底辺１０３を底辺としつつ当該下底辺１０３から下底面１０６の内側に延出するようにして設けられている。蓋体１１２は、その表面に弧状の切削線１１４（１１４ａ、１１４ｂ）を備え、この切削線１１４に沿って蓋体１１２を折り曲げることにより形成される、後述する舌片部１１５（１１５ａ、１１５ｂ。不図示。）を、下底面１０６に設けられているスリット１１６（１１６ａ、１１６ｂ）に差し込むことにより、蓋体１１２を下底面１０６に脱着可能に固定することができる。
【００２０】
また、各収納室１００の下底面１０６には、その上底の角部が角丸加工された台形状の固定片１１８（１１８ａ、１１８ｂ）が重ねられている。固定片１１８は、蓋体側傾斜面と反対側の傾斜面１０２（以下、固定片側傾斜面という）と一体となっており、固定片側傾斜面の下底辺１０３を下底としつつ当該下底辺１０３から下底面１０６の内側に延出するようにして設けられている。固定片１１８の、上底の中央部には差込片１５６（１５６ａ、１５６ｂ。不図示。後述。）が設けられている。他方、収納室１００の下底面１０６の固定片１１８の側には、差込片１５６に対応するスリット１２０（１２０ａ、１２０ｂ）が設けられており、このスリット１２０に差込片１５６が差し込まれることにより、固定片１１８が下底面１０６に固定されている。
【００２１】
（電池５の収容構造）
次に、電池ケース１が備える電池５の収容構造について説明する。
【００２２】
図３は、筒形の電池５が収納された状態の電池ケース１の上方斜視図である。同図に示すように、収納室１００は、電池５を収納可能な、複数の区画１６０によって構成されている。収納室１００は、その内部にｙｚ方向（垂直面１０４と平行な方向）に立設されている仕切部１２２（１２２ａ、１２２ｂ）によって複数の区画１６０に分割されている。電池５は、その長軸方向（電池５の高さ方向）をｙ方向とし、その短軸方向（電池５の半径方向）をｘ方向とした状態で各区画１６０に挿入され、挿入された電池５は、その短軸方向に整列して配置される。なお、後述するように、仕切部１２２は、これと一体の下底側糊代面１５８（１５８ａ、１５８ｂ）及び上底側糊代面１５９（１５９ａ、１５９ｂ）によって、それぞれ下底面１０６及び上底面１０８に貼着されている。
【００２３】
収納室１００の各垂直面１０４の斜辺には、電池５を収容する際に収納室１００の内部に折り畳まれて使用される側方片１２４が設けられている。具体的には、収納室１００（区画１６０）に電池５を挿入した場合、側方片１２４を内部に折り畳み、さらに蓋体１１２をスリット１１６に差し込むことで収納室１００を閉鎖することができる。
【００２４】
ここで、収納室１００の傾斜面１０２は、収容された電池５の端面（正極端子又は負極端子が存する面）と対向する位置にあり、この傾斜面１０２は所定の角度をもって上底面１０８から下底面１０６に向かって傾斜している。また、上底面１０８の、電池５の長軸方向の辺（垂直面１０４の上底辺１０５）の長さＬ１は、電池５の長軸方向の長さと略同じに設計されている。したがって、下底面１０６の底辺１０７（１０７ａ、１０７ｂ）の長さＬ２は電池５の長軸長さ方向の長さより長くなっている。これにより、収納室１００に収納された電池５の端子（正極端子及び負極端子）は、各傾斜面１０２と直接接触しないようになっている。このように、収納室１００の内面（傾斜面１０２）が電池５の端子部と接触しないようになっていることで、電池５の端子部の損傷、劣化等を防ぐことができる。例えば、電池ケース１に水分が付着又は浸透した場合でも、その水分が電池５の端子部と接触する等して生じるおそれがある、錆の発生、漏電、損傷等を防ぐことができる。
【００２５】
また、各区画１６０のｘ方向の長さ（電池５の整列方向の長さ）Ｌ３は、電池５の長軸方向の長さよりも短く設計されている。これにより、ある区画１６０内において電池５を取り出しても、当該区画１６０の残りの電池５は、振動や回転等によっても転倒等せず、後の当該残りの電池５の取り出しに支障をきたさないようにすることができる。
【００２６】
（電池ケース１の折り畳み機能）
次に、電池ケース１の折り畳み機能（脱着部）について説明する。
【００２７】
図２、４に示すように、電池ケース１の収納室１００ａの下底面１０６ａの辺のうち、外側の底辺１０７ａのｙ方向中央部には、多角形状の係止片１３０が設けられている。係止片１３０は、その一辺１３２を底辺１０７ａの一部としつつその他の各辺１３４が下底面１０６ａの内部に切削して設けられ、各辺１３４の切削線からはさらに複数の切削線１３５が分岐して設けられている。これにより、電池ケース１の利用者は、係止片１３０を、一辺１３２で容易に折り曲げ、上方に起立させることができる。
【００２８】
他方、係止片１３０を備える収納室１００ａと反対側の収納室１００ｂの下底面１０６ｂの外側の底辺１０７ｂのｙ方向中央部には、係止片１３０に対応するスリット１３６が設けられている。収納室１００ａ及び収納室１００ｂの間には、前記したようにミシン線１１０（回動部）が設けられているので、収納室１００ａ及び収納室１００ｂをミシン線１１０に沿って内側に折り曲げつつ（下底面１０６を互いに向かい合わせる方向に折り曲げつつ）、起立させておいた係止片１３０をスリット１３６に差し込むことにより、収納室１００ａ及び収納室１００ｂを互いに折り畳んだ状態で固定し、又は折り畳んだ各収納室１００を再び離間させることができる（図５、６）。
【００２９】
このように、電池ケース１は、２つの収納室１００を折り畳み自在とする回動部（ミシン線１１０）を備えることで、電池ケース１の保管や持ち運びをしやすくすることができる。また、２つの収納室１００を脱着可能に固定させる脱着部（係止片１３０及びスリット１３６）を備えることにより、２つの収納室１００を折り畳んだ状態又は広げた状態とし、電池ケース１を管理しやすくすることができる。また、回動部がミシン線１１０になっているので、収納室１００を互いに切り離すことで２つの小型の電池ケースとしたり、一方の収納室１００が不要になった時（電池５を全て取り出した場合等）に他方の収納室１００を切り離すことで、電池ケースをかさばらないようにすることができる。
【００３０】
＜化粧ケース２＞
次に、電池ケース１を収納する化粧ケースの構造及び機能について説明する。
【００３１】
図７、８は、本実施形態に係る化粧ケース２の斜視図である。化粧ケース２は、扁平の直方体形状のケースであり、この内部に電池ケース１が収容される。化粧ケース２の一方の底面（上面２０２）は収容される電池ケース１の上底面１０８に対応し、他方の底面（下面２０４）は収容される電池ケース１の下底面１０６に対応することになる。化粧ケース２は、電池ケース１と同様、一枚の所定の紙製のシートを各所で折り畳んで形成されている。
【００３２】
なお、以下では、化粧ケース２の上面２０２（又は下面２０４）の長手方向をｘ方向、上面２０２（又は下面２０４）の短手方向をｙ方向、下面２０４（又は上面２０２）と直交する方向をｚ方向という（電池ケース１のｘ、ｙ、ｚ方向と対応する）。
【００３３】
化粧ケース２の長手方向の側面２０６のうち長手方向の一方の側面２０６ａ、上面２０２、及び、長手方向の他方の側面２０６ｂにかけては、互いに平行な２本の直線状のミシン線２０８が設けられている。具体的には、ミシン線２０８は、上面２０２ではｘ方向中央をｙ方向に、長手方向の側面２０６ではｘ方向中央をｚ方向にそれぞれ切削して形成されている。さらに、長手方向の一方の側面２０６ａには、ミシン線２０８と直交する方向に、当該側面の２本のミシン線２０８を結ぶ切削線２１２が形成されている。他方、化粧ケース２の下面２０４のｘ方向中央には、折り曲げ線２１０がｙ方向に形成されている。折り曲げ線２１０は、化粧ケース２を電池ケース１に収納した場合の当該電池ケース１のミシン線１１０に対応した位置にある。
【００３４】
ここで、図９に示すように、切削線２１２に沿って、長手方向の一方の側面２０６ａを持ち上げてミシン線２０８を破断することで破断片２１４を形成し、さらに、図１０に示すように化粧ケース２を折り曲げ線２１０に沿って下面２０４の側に折り曲げることにより、ミシン線１１０を中心に折り曲げられた状態となった電池ケース１を露出させ、露出させた電池ケース１を化粧ケース２から取り出すことができる。
【００３５】
＜電池ケース１の展開シート＞
前記したように、電池ケース１は１枚の紙製のシートによって構成することが可能である。図１１は、この電池ケース１の展開シート３００の一例である。この展開シート３００は、スリット１３６が設けられている下底面１０６ａと、スリット１３６に対応する係止片１３０が設けられている下底面１０６ｂとの間のミシン線１１０を対称線として概ね線対称の構成となっており、それぞれの側が各収納室１００（１００ａ、１００ｂ）を構成する。
【００３６】
具体的には、下底面１０６ａから順に、垂直面１０４ａの一方、上底面１０８ａ、垂直面１０４ａの他方、下底面１０６ａの内面に貼着される下底側糊代面１５８ａ、下底糊代面１５８ａから折り曲げて起立される面である仕切部１２２ａ、及び、仕切部１２２ａから折り曲げられて上底面１０８ａの内面に貼着される上底側糊代面１５９ａが整列されている。この各糊代面により、仕切部１２２ａを含む電池ケース１を１枚の紙製のシートとして構成できる。さらに、垂直面１０４ａの両斜辺には側方片１２４ａが設けられ、上底面１０８ａの左右にはそれぞれ傾斜面１０２ａが備わる。傾斜面１０２ａの一方の面の外側には、舌片部１１５を形成するための切削線１１４ａを備えた蓋体１１２ａが設けられている。この蓋体１１２ａ、及び、下底面１０６ａに設けられたスリット１１６ａにより、蓋体１１２ａが下底面１０６ａと脱着可能に固定されることになる。また、傾斜面１０２ａの他方の面の外側には、その先端に折り曲げ可能な差込片１５６ａを備えた固定片１１８ａが設けられており、この固定片１１８ａは下底面１０６ａのスリット１２０ａに差し込まれる。これにより、固定片１１８ａを下底面１０６ａに固定させることができる。
【００３７】
以上の下底面１０６ａに係る部分の構成は、これと略線対称の下底面１０６ｂに係る部分の構成についても同様である。
【００３８】
このように、電池ケース１が１枚の紙製のシート（展開シート３００）で構成されていることで、その製造が容易となる。
【００３９】
以上説明したように、本実施形態の電池ケース１は、箱状の収納室１００が複数連結されており、その収納室１００においては複数の筒形の電池５を短軸方向に整列しつつこれらを各区画１６０に分割する仕切部１２２が設けられ、その区画１６０の電池５の整列方向の長さが電池５の長軸方向の長さより短くなっていることで、仕切部１２２により各収納室１００に多数の電池５を収納することができると共に、ある区画１６０内の電池５を取り出しても残りの電池５は当該区画１６０内で、振動や回転等によっても転倒等せず、後の当該電池５の取り出しに支障をきたさないようにすることができる。このように、本実施形態の電池ケース１によれば、収納室１００内の複数の電池のそれぞれを適切な方向又は配置で収納することができる。
【００４０】
以上に説明した実施形態の説明は、本発明の理解を容易にするためのものであり、本発明を限定するものではない。本発明はその趣旨を逸脱することなく、変更、改良され得ると共に本発明にはその等価物が含まれる。
【００４１】
例えば、本実施形態では収納室１００の数は２つとしたが、３以上の収納室１００が連結されていてもよい。
【００４２】
また、電池ケース１及び化粧ケース２の素材は紙以外でも、折り曲げ及びミシン目の作成が可能であれば他の素材でもよい。
【符号の説明】
【００４３】
１  電池ケース、５  電池、１００  収納室、１２２  仕切部、１６０  区画
【図１】
2019153417.tif 000003
【図２】
2019153417.tif 000004
【図３】
2019153417.tif 000005
【図４】
2019153417.tif 000006
【図５】
2019153417.tif 000007
【図６】
2019153417.tif 000008
【図７】
2019153417.tif 000009
【図８】
2019153417.tif 000010
【図９】
2019153417.tif 000011
【図１０】
2019153417.tif 000012
【図１１】
2019153417.tif 000013